(57)【要約】【課題】簡易な構成により一対の用紙ガイドを近接離反させることが可能なロール紙プリンタの用紙ガイド機構を提供する。【解決手段】プリンタ１は、ロール紙収容部１１を有するプリンタ本体と、ロール紙収容部内のロール紙２の両端面にそれぞれ当接してロール紙２の回転軸方向の位置ずれを抑える第１及び第２の用紙ガイド１５Ｌ，１５Ｒと、ロール紙２の回転軸方向にスライドするように第１及び第２の用紙ガイド１５Ｌ，１５Ｒの移動方向をそれぞれ規制する第１及び第２のガイドレール１７ａ，１７ｂと、第１の用紙ガイド１５Ｌと第２の用紙ガイド１５Ｒとを連結するリンクレバー１８とを備える。リンクレバー１８は、第１及び第２の用紙ガイド１５Ｌ，１５Ｒのスライド動作を相互に連動させて、第１及び第２の用紙ガイド１５Ｌ，１５Ｒを近接離反させる。【選択図】図２
2015150754.tif 000002
【特許請求の範囲】
【請求項１】
ロール紙収容部を有するプリンタ本体と、
前記ロール紙収容部内のロール紙の両端面にそれぞれ当接して前記ロール紙の中心軸方向の位置ずれを抑える第１及び第２の用紙ガイドと、
前記ロール紙の中心軸方向にスライドするように前記第１及び第２の用紙ガイドの移動方向をそれぞれ規制する第１及び第２のガイドレールと、
前記第１の用紙ガイドと前記第２の用紙ガイドとを連結するリンクレバーとを備え、
前記第１及び第２の用紙ガイドは前記リンクレバーの長手方向の一端部及び他端部にそれぞれ係合しており、
前記リンクレバーの長手方向の中央部は回転軸を介して前記プリンタ本体に軸支されており、
前記リンクレバーは、前記第１及び第２の用紙ガイドのスライド動作を相互に連動させて、前記第１及び第２の用紙ガイドを近接離反させることを特徴とするプリンタの用紙ガイド機構。
【請求項２】
前記ロール紙収容部を開閉するカバーをさらに備え、
前記カバーは、前記カバーが閉じられたときに前記第１の用紙ガイド及び前記第２の用紙ガイドに嵌合して前記第１及び第２の用紙ガイドの位置を固定するラチェット部を有する、請求項１に記載の用紙ガイド機構。
【請求項３】
前記リンクレバーは板バネ部を有しており、前記板バネ部は、その付勢方向に位置する前記プリンタ本体側に設けられた凹凸面とフリクション係合している、請求項１又は２に記載の用紙ガイド機構。
【請求項４】
前記第１及び第２の用紙ガイドは同一形状を有し、
前記第１の用紙ガイドは、前記第２の用紙ガイドと２回対称な関係を有する、請求項１乃至３のいずれか一項に記載の用紙ガイド機構。
【請求項５】
第２のガイドレールの延長線上に配置され、前記ロール紙の中心軸方向にスライドするように前記第１の用紙ガイドの移動方向を規制する第３のガイドレールと、
第１のガイドレールの延長線上に配置され、前記ロール紙の中心軸方向にスライドするように前記第２の用紙ガイドの移動方向を規制する第４のガイドレールとをさらに備え、
前記第１の用紙ガイドは、前記第１のガイドレールに嵌合する第１の嵌合部と、第３のガイドレールに嵌合する第２の嵌合部とを有し、
前記第２の用紙ガイドは、前記第２のガイドレールと嵌合する第３の嵌合部と、第４のガイドレールと嵌合する第４の嵌合部とを有し、
前記第１及び第３の嵌合部の断面形状は、第１及び第２のガイドレールの延在方向と直交する方向から着脱不可能なＣ字状又はＯ字状を有し、
前記第２及び第４の嵌合部の断面形状は、第３及び第４のガイドレールの延在方向と直交する方向から着脱可能なＵ字状を有する、請求項１乃至４のいずれか一項に記載の用紙ガイド機構。
【請求項６】
前記第１乃至第４のガイドレールはプリンタ本体と一体的に形成されている、請求項５に記載の用紙ガイド機構。
【発明の詳細な説明】
【技術分野】
【０００１】
本発明は、プリンタの用紙ガイド機構に関し、特に、ロール紙の両端面を抑える一対の用紙ガイドのスライド機構に関するものである。
【背景技術】
【０００２】
近年、ロール紙に印字するタイプの小型のプリンタが広く利用されている。市販のロール紙にはいくつかの規定サイズがあるが、複数のサイズに対応可能とするため、この種のプリンタには任意のサイズのロール紙をプリンタ内の所定の位置に正しくセットして所定の方向に送り出すための用紙ガイド機構が設けられている。
【０００３】
例えば特許文献１には、一対の用紙ガイドを一対のガイドアームの一端部にそれぞれ連結し、一対のガイドアームの他端部どうしを連結し、用紙ガイドのスライド方向と直交する方向にガイドアームの他端部をスライドさせることにより、一対の用紙ガイドをセンタ基準で近接離反させる用紙ガイド機構が開示されている。また特許文献２には、一対の用紙ガイドの各々にラックを形成し、一対のラックとピニオンギアとを用いて一対の用紙ガイドを近接離反させる用紙ガイド機構が開示されている。また特許文献３には、ケースの蓋を閉じることで、これにより一対の用紙ガイドのスライドがロックされる機構が開示されている。また特許文献４には、一対の押さえ板のスライド機構が開示されている。
【先行技術文献】
【特許文献】
【０００４】
【特許文献１】特開平８−２４０７号公報
【特許文献２】特許第４７７６０２３号公報
【特許文献３】特開２０１３−１５４５８０号公報
【特許文献４】特許第４５３７５４１号公報
【発明の概要】
【発明が解決しようとする課題】
【０００５】
上述した従来の用紙ガイド機構は、一対の用紙ガイドを一対のガイドアームで連動させたり、一対のラックをピニオンギアに係合させて一対の用紙ガイドの一方を他方に連動させる機構が開示されている。いずれの方式も機構が複雑となり小型軽量化の実現が困難である。また、従来の用紙ガイド機構には、ガイド幅の調整後に用紙ガイドが安易に移動できないようにラチェット機構等のロック機構で用紙ガイドが固定されるようになっている。
【０００６】
しかしながら、そのようなロック機構を有する用紙ガイド機構においてガイド幅を変更しようとする場合、操作レバー等でロック機構を解除して行う必要があり、機構が複雑になり、操作性も悪いという問題がある。
【０００７】
本発明は上記課題を解決するためになされたものであり、本発明の目的は、簡易な構成により一対の用紙ガイドを近接離反させることが可能なプリンタの用紙ガイド機構を提供することにある。また、本発明の他の目的は、用紙ガイドのスライドのロック操作及びロック解除操作が容易な用紙ガイド機構を提供することにある。
【課題を解決するための手段】
【０００８】
上記課題を解決するため、本発明によるプリンタの用紙ガイド機構は、ロール紙収容部を有するプリンタ本体と、前記ロール紙収容部内のロール紙の両端面にそれぞれ当接して前記ロール紙の中心軸方向の位置ずれを抑える第１及び第２の用紙ガイドと、前記ロール紙の中心軸方向にスライドするように前記第１及び第２の用紙ガイドの移動方向をそれぞれ規制する第１及び第２のガイドレールと、前記第１の用紙ガイドと前記第２の用紙ガイドとを連結するリンクレバーとを備え、前記第１及び第２の用紙ガイドは前記リンクレバーの長手方向の一端部及び他端部にそれぞれ係合しており、前記リンクレバーの長手方向の中央部は回転軸を介して前記プリンタ本体に軸支されており、前記リンクレバーは、前記第１及び第２の用紙ガイドのスライド動作を相互に連動させて、前記第１及び第２の用紙ガイドを近接離反させることを特徴とする。
【０００９】
本発明によれば、一対の用紙ガイドを近接離反させる用紙ガイド機構を簡単な構成で実現することができる。
【００１０】
本発明において、前記ロール紙収容部を開閉するカバーをさらに備え、前記カバーは、前記カバーが閉じられたときに前記第１の用紙ガイド及び前記第２の用紙ガイドに嵌合して前記第１及び第２の用紙ガイドの位置を固定するラチェット部を有することが好ましい。この構成によれば、操作レバー等でロック機構を解除することなく、カバーを閉じたり開いたりするだけで用紙ガイドの固定及び固定解除を行うことができ、操作性に優れた用紙ガイド機構を提供することができる。
【００１１】
本発明において、前記リンクレバーは板バネ部を有しており、前記板バネ部は、その付勢方向に位置する前記プリンタ本体側に設けられた凹凸面とフリクション係合していることが好ましい。この構成によれば、板バネ部が凹凸面を乗り越える際に受けるクリック感によって用紙ガイドの位置決め精度や操作性を高めることができる。
【００１２】
本発明において、前記第１及び第２の用紙ガイドは同一形状を有し、前記第１の用紙ガイドは、前記第２の用紙ガイドと２回対称な関係を有することが好ましい。この構成によれば、部品の共通化による低コスト化を図ることができる。
【００１３】
本発明において、第２のガイドレールの延長線上に配置され、前記ロール紙の中心軸方向にスライドするように前記第１の用紙ガイドの移動方向を規制する第３のガイドレールと、第１のガイドレールの延長線上に配置され、前記ロール紙の中心軸方向にスライドするように前記第２の用紙ガイドの移動方向を規制する第４のガイドレールとをさらに備え、前記第１の用紙ガイドは、前記第１のガイドレールに嵌合する第１の嵌合部と、第３のガイドレールに嵌合する第２の嵌合部とを有し、前記第２の用紙ガイドは、前記第２のガイドレールと嵌合する第３の嵌合部と、第４のガイドレールと嵌合する第４の嵌合部とを有し、前記第１及び第３の嵌合部の断面形状は、第１及び第２のガイドレールの延在方向と直交する方向から着脱不可能なＣ字状又はＯ字状を有し、前記第２及び第４の嵌合部の断面形状は、第３及び第４のガイドレールの延在方向と直交する方向から着脱可能なＵ字状を有することが好ましい。この構成によれば、第１及び第２の用紙ガイドを安定的に支持しながら円滑にスライドさせることができる。
【００１４】
本発明において、前記第１乃至第４のガイドレールはプリンタ本体と一体的に形成されていることが好ましい。この構成によれば、用紙ガイドのスライド機構を簡易かつ低コストで実現することができる。
【発明の効果】
【００１５】
本発明によれば、簡易な構成により一対の用紙ガイドを近接離反させることが可能なプリンタの用紙ガイド機構を提供することができる。また、本発明によれば、用紙ガイドのスライド動作のロック及びロック解除が容易な用紙ガイド機構を提供することができる。
【図面の簡単な説明】
【００１６】
【図１】図１は、本発明の第１の実施の形態によるプリンタの構成を示す略斜視図である。
【図２】図２は、用紙ガイド機構の構成を示す略斜視図である。
【図３】図３は、プリンタ本体のフレーム構造を示す図であって、特にプリンタ本体の底部（リンクレバーとの対向面）の構造を詳細に示す略斜視図である。
【図４】図４は、図２並びに図３のＸ−Ｘ線に沿ったリンクレバーの板バネ部の構成を示す略断面図である。
【図５】図５は、一対の用紙ガイドとリンクレバーとの連結構造を示す略斜視図である。
【図６】図６は、用紙ガイドとガイドレールとの関係を示す図であって、（ａ）は略斜視図、（ｂ）は略側面図である。
【発明を実施するための形態】
【００１７】
以下、添付図面を参照しながら、本発明の好ましい実施の形態について詳細に説明する。
【００１８】
図１は、本発明の第１の実施の形態によるプリンタの構成を示す略斜視図であって、カバーが開かれた状態を示すものである。
【００１９】
図１に示すように、本実施形態によるプリンタ１は、ロール紙収容部１１を有するプリンタ本体１０と、サーマルヘッドを含むラベル印字ユニット１２と、ロール紙収容部１１の上方に設けられたカバー１３とを備えている。ロール紙収容部１１はプリンタ本体１０の後方に位置し、ラベル印字ユニット１２はロール紙収容部１１よりもプリンタ本体１０の前方に設けられている。そして、カバー１３の回転軸１３ａはプリンタ本体１０の後端部に設けられており、ロック解除ボタン１３ｂを押してプリンタ本体１０に対するカバー１３のロックを解除することにより、カバー１３の前端部を持ち上げてカバー１３を開くことができる。
【００２０】
ロール紙収容部１１にはロール紙２が収容されており、ロール紙２の幅方向の両側には一対の用紙ガイド１５Ｌ，１５Ｒがそれぞれ設けられている。一対の用紙ガイド１５Ｌ，１５Ｒはロール紙２の左側面及び右側面にそれぞれ当接してロール紙の中心軸方向の位置ずれを抑える役割を果たす。カバー１３の前端部にはプラテンローラ１６が取り付けられており、プラテンローラ１６はカバー１３を閉じたときにラベル印字ユニット１２のサーマルヘッド（不図示）と対向する位置となるように設けられている。
【００２１】
また詳細は後述するが、カバー１３の裏面にはラチェット部１３ｃが設けられており、カバー１３を閉じたときに一対の用紙ガイド１５Ｌ，１５Ｒの上端部が対応するラチェット部１３ｃに係合することにより一対の用紙ガイド１５Ｌ，１５Ｒの位置が確実に固定される。
【００２２】
図２は、用紙ガイド機構の構成を示す略斜視図である。
【００２３】
図２に示すように、用紙ガイド機構は、一対の用紙ガイド１５Ｌ，１５Ｒと、一方の用紙ガイド１５Ｌ（第１の用紙ガイド）のスライド方向を規定するガイドレール１７ａ、１７ｃと、他方の用紙ガイド１５Ｒ（第２の用紙ガイド）のスライド方向を規定するガイドレール１７ｂ，１７ｄと、第１の用紙ガイド１５Ｌと第２の用紙ガイド１５Ｒとを連結するリンクレバー１８とを有している。用紙ガイド１５Ｌ，１５Ｒのスライド方向はロール紙の中心軸方向である（図１参照）。
【００２４】
本実施形態においてガイドレール１７ａ〜１７ｄはロール紙収容部１１の底部に設けられており、プリンタ本体１０と一体的に形成されている。第１の用紙ガイド１５Ｌは、互いに平行な２本のガイドレール１７ａ、１７ｃに取り付けられており、第２の用紙ガイド１５Ｒは、互いに平行な２本のガイドレール１７ｂ，１７ｄに取り付けられている。第１の用紙ガイド１５Ｌは、第１のガイドレール１７ａと嵌合する第１の嵌合部１５ａと、第３のガイドレール１７ｃと嵌合する第２の嵌合部１５ｂとを有している。第２の用紙ガイド１５Ｒは、第２のガイドレール１７ｂと嵌合する第３の嵌合部１５ｃと、第４のガイドレール１７ｄと嵌合する第４の嵌合部１５ｄとを有している。
【００２５】
第３のガイドレール１７ｃは第２のガイドレール１７ｂの延長線上に配置されており、第４のガイドレール１７ｄは第１のガイドレール１７ａの延長線上に配置されている。すなわち、第１及び第４のガイドレール１７ａ，１７ｄは、一本のガードレールを途中で分断したような構成となっており、第２及び第３のガイドレール１７ｂ、１７ｃもまた、一本のガイドレールを途中で分断したような構成となっている。このように構成する理由は、ガイドレール１７ａ，１７ｃの先端から第１の用紙ガイド１５Ｌを嵌め込むことを可能にし、またガイドレール１７ｂ，１７ｄの先端から第２の用紙ガイド１５Ｒを嵌め込むことを可能にし、ガイドレールへの用紙ガイドの取り付けを容易にするためである。そのため、互いに対向する第１及び第４のガイドレール１７ａ，１７ｄの先端部どうしの間のスペース幅並びに互いに対向する第２及び第３のガイドレール１７ｃ，１７ｂの先端部どうしの間のスペース幅は、用紙ガイド１５Ｌ，１５Ｒの幅よりも広く設定されている。
【００２６】
リンクレバー１８は金属製又は樹脂製の細長いプレートからなり、ロール紙収容部１１の下方に配置されている。薄型のリンクレバー１８がロール紙収容部１１の下方に配置されている場合には、他の部品のレイアウトを邪魔することなく用紙ガイド機構を実装することができ、プリンタの小型軽量化が可能である。
【００２７】
第１の用紙ガイド１５Ｌはリンクレバー１８の長手方向の一端部に係合しており、第２の用紙ガイド１５Ｒはリンクレバー１８の長手方向の他端部に係合している。さらに、リンクレバー１８の長手方向の中央部は回転軸１８ａを介してプリンタ本体１０に軸支されている。リンクレバー１８の回転軸１８ａはロール紙収容部１１の幅方向の中央に位置し、より好ましくは、ロール紙収容部１１の幅方向と直交する前後方向の中央に位置している。
【００２８】
図３は、プリンタ本体１０のフレーム構造を示す図であって、特にプリンタ本体１０の底部（リンクレバー１８との対向面）の構造を詳細に示す略斜視図である。また、図４は、図２並びに図３のＸ−Ｘ線に沿ったリンクレバー１８の板バネ部の構成を示す略断面図である。
【００２９】
図２、図３及び図４に示すように、リンクレバー１８はその一部を切り欠くことで形成された一対の板バネ部１８ｂ，１８ｂを有している。詳細は後述するが、板バネ部１８ｂ，１８ｂの先端に形成された突起（ボス）１８ｃはプリンタ本体１０側の対向面に形成された凹凸溝１０ａとフリクション係合しており、突起１８ｃは板バネ部１８ｂの弾性力によって凹凸溝１０ａに押し付けられている。リンクレバー１８が回転すると突起１８ｃが凹凸溝１０ａの山を乗り越えるので、用紙ガイド１５Ｌ，１５Ｒのスライド操作時にクリック感を与えることができ、用紙ガイド１５Ｌ，１５Ｒの固定位置を細かく設定することができる。
【００３０】
図５は、一対の用紙ガイド１５Ｌ，１５Ｒとリンクレバー１８との連結構造を示す略斜視図である。
【００３１】
図５に示すように、第１の用紙ガイド１５Ｌの第１の嵌合部１５ａの下部には第１の係合ピン１５ｅが設けられており、第２の用紙ガイド１５Ｒの第３の嵌合部１５ｃの下部には第２の係合ピン１５ｆが設けられている。第１及び第２の係合ピン１５ｅ，１５ｆは、リンクレバー１８の一端部及び他端部にそれぞれ形成された長穴１８ｄ（又は細長いスリット）に係合している。すなわち、第１の用紙ガイド１５Ｌは、第１の係合ピン１５ｅを介してリンクレバー１８の一端部に係合しており、第２の用紙ガイド１５Ｒは、第２の係合ピン１５ｆを介してリンクレバー１８の他端部に係合している。第１及び第２の係合ピン１５ｅ，１５ｆはリンクレバー１８の回転に合わせて長穴１８ｄ内をスライドし、これにより第１及び第２の用紙ガイド１５Ｌ，１５Ｒはリンクレバー１８からスライド方向の力だけを受けることができる。
【００３２】
第１及び第２の用紙ガイド１５Ｌ，１５Ｒがこのようにリンクレバー１８を介して連結されることにより、用紙ガイド１５Ｌ，１５Ｒの一方のスライド動作は他方のスライド動作と連動する。第１の用紙ガイド１５Ｌを第２の用紙ガイド１５Ｒに近づく方向にスライドさせると、リンクレバー１８の一端部も第１の用紙ガイド１５Ｌと同じ方向に回動し、逆にリンクレバー１８の他端部は第１の用紙ガイド１５Ｌに近づく方向に回動し、これにより第２の用紙ガイド１５Ｒもリンクレバー１８の他端部と同じ方向にスライドする。逆に、第１の用紙ガイド１５Ｌを第２の用紙ガイド１５Ｒから遠ざかる方向にスライドさせると、第２の用紙ガイド１５Ｒは第１の用紙ガイド１５Ｌから遠ざかる方向にスライドする。このように、一対の用紙ガイド１５Ｌ，１５Ｒの一方は他方に連動してスライドし、リンクレバー１８は一対の用紙ガイド１５Ｌ，１５Ｒを近接離反させる。
【００３３】
図６は、第１の用紙ガイド１５Ｌと一対のガイドレール１７ａ，１７ｃとの関係を示す図であって、特に（ａ）は略斜視図、（ｂ）は略側面図である。なお第２の用紙ガイド１５Ｒと一対のガイドレール１７ｂ，１７ｄとの関係は上記第１の用紙ガイド１５Ｌと一対のガイドレール１７ａ，１７ｃとの関係と同様であることから、ここでは第１の用紙ガイド１５Ｌについてのみ説明し、第２の用紙ガイド１５Ｒの説明は省略する。
【００３４】
図６（ａ）及び（ｂ）に示すように、用紙ガイド１５Ｌの上端部には上方に突出するつまみ部１５ｇが設けられており、プリンタ１の使用者はこのつまみ部１５ｇをつまんで用紙ガイド１５Ｌを動かすことでその位置を調整することができる。つまみ部１５ｇの先端部はテーパー形状を有しており、カバー１３が閉じたときにつまみ部１５ｇの先端部がラチェット部１３ｃに係合し、これにより用紙ガイド１５Ｌの位置が固定される。逆に、カバー１３を開いたときには用紙ガイド１５Ｌの固定が自然に解除される。
【００３５】
用紙ガイド１５Ｌは、一方のガイドレール１７ａと嵌合する第１の嵌合部１５ａと、他方のガイドレール１７ｃと嵌合する第２の嵌合部１５ｂとを有している。第１の嵌合部１５ａはガイドレール１７ａの延在方向と直交する方向から着脱不可能なＣ字状（又はＯ字状）の断面形状を有し、スライドのみが許容される形状となっているが、第２の嵌合部１５ｂはガイドレール１７ｃの延在方向と直交する方向から着脱可能なＵ字状の断面形状を有している。このように、一方のガイドレール１７ａに対してのみ用紙ガイド１５Ｌをスライド固定とし、他方のガイドレール１７ｃとの嵌合には遊びを持たせることにより、用紙ガイド１５Ｌを安定的に支持しながら円滑にスライドさせることができる。
【００３６】
図２及び図５に示したように、リンクレバー１８はロール紙収容部１１の対角方向に延設されており、リンクレバー１８の一端部及び他端部はプリンタの前方及び後方にそれぞれ位置している。そして、プリンタ本体１０の前方から見て左側に配置された第１の用紙ガイド１５Ｌの第１の係合ピン１５ｅは、リンクレバー１８の一端部に連結しており、プリンタ本体１０の前方から見て右側に配置された第２の用紙ガイド１５Ｒの第２の係合ピン１５ｆは、リンクレバー１８の他端部に連結している。つまり、第１の用紙ガイド１５Ｌを１８０度反転させたものが第２の用紙ガイド１５Ｒであり、第１の用紙ガイド１５Ｌは、第２の用紙ガイド１５Ｒと２回対称な関係を有している。用紙ガイド１５Ｌ，１５Ｒの形状は同じであり、係合ピンの位置も同じである。このような用紙ガイドの構成によれば、部品の共通化による低コスト化を図ることができる。
【００３７】
以上説明したように、本実施形態によるプリンタの用紙ガイド機構は、一対の用紙ガイド１５Ｌ，１５Ｒを連結するリンクレバー１８を備え、リンクレバー１８が一対の用紙ガイドの一方のスライド動作を他方のスライド動作に連動させるので、一対の用紙ガイドを近接離反させる用紙ガイド機構を簡単な構成で実現することができる。また、用紙のガイド幅を変更しようとする場合に、操作レバー等でロック機構を解除することなく、操作性が良い用紙ガイド機構を提供することができる。
【００３８】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００３９】
例えば、上記実施形態においては、１つの用紙ガイドに対して２本のガイドレールが設けられているが、必ずしも２本のガイドレールは必要でなく、１つの用紙ガイドに対して１本のガイドレールのみが設けられていてもよい。すなわち、第１の用紙ガイド１５Ｌの移動方向を規制する第１のガイドレール１７ａと、第２の用紙ガイド１５Ｒの移動方向を規制する第２のガイドレール１７ｂとで構成されていてもよい。さらに、各ガイドレールはプリンタ本体と一体である必要はなく、プリンタ本体に後付けされたものであってもよい。
【００４０】
また、上記実施形態においては、第１及び第２の用紙ガイド１５Ｌ，１５Ｒが同一形状であるが、第１及び第２の用紙ガイド１５Ｌ，１５Ｒの形状が互いに異なっていても構わない。
【００４１】
また、上記実施形態においては、用紙ガイドをスライドさせた時のクリック感がリンクレバーに形成された板バネ部とプリンタ本体側の凹凸面とフリクション係合によって実現されているが、本発明においてこのような構造は必ずしも必要ではなく、また別の方法によってクリック感を付与するようにしてもよい。
【符号の説明】
【００４２】
１    プリンタ
２    ロール紙
１０    プリンタ本体
１０ａ    凹凸溝
１１    ロール紙収容部
１２    ラベル印字ユニット
１３    カバー
１３ａ    回転軸
１３ｂ    ロック解除ボタン
１３ｃ    ラチェット部
１５Ｌ    第１の用紙ガイド
１５Ｒ    第２の用紙ガイド
１５ａ    第１の嵌合部
１５ｂ    第２の嵌合部
１５ｃ    第３の嵌合部
１５ｄ    第４の嵌合部
１５ｅ    第１の係合ピン
１５ｆ    第２の係合ピン
１５ｇ    つまみ部
１６    プラテンローラ
１７ａ    第１のガイドレール
１７ｂ    第２のガイドレール
１７ｃ    第３のガイドレール
１７ｄ    第４のガイドレール
１８    リンクレバー
１８ａ    回転軸
１８ｂ    板バネ部
１８ｃ    突起（ボス）
１８ｄ    長穴
【図１】
2015150754.tif 000003
【図２】
2015150754.tif 000004
【図３】
2015150754.tif 000005
【図４】
2015150754.tif 000006
【図５】
2015150754.tif 000007
【図６】
2015150754.tif 000008